(57)【要約】【課題】  陳列什器に陳列されている商品、特に新商品のようにこれから売り上げを伸ばそうとしている商品の購買意欲を促進させ、販促効果を高める．【解決手段】  商品が陳列されている陳列什器６の近傍に設置されている電子掲示板５に、当該陳列什器６に陳列されている商品についての販売促進のためのメッセージである販促メッセージｍを表示させる。これにより、陳列什器６に陳列されている商品、特に新商品のようにこれから売り上げを伸ばそうとしている商品の購買意欲を促進させることができ、販促効果を高めることができる。【選択図】    図２
2005301947.tif 000002
【特許請求の範囲】
【請求項１】
商品を陳列する陳列什器の近傍に設置されている電子掲示板に接続される店舗情報装置において、
前記陳列什器に陳列される商品を識別する商品コードと当該陳列什器を識別するゴンドラ番号とを対応付ける手段と、
前記商品コードと当該商品コードにより識別される商品についての販売促進のためのメッセージである販促メッセージとを対応付ける手段と、
前記ゴンドラ番号と当該ゴンドラ番号が付された前記陳列什器の近傍に設置されている前記電子掲示板の掲示板番号とを対応付ける手段と、
前記商品コードに対応付けられている前記販促メッセージを、当該商品コードに対応付けられている前記ゴンドラ番号に対応付けられている前記掲示板番号の前記電子掲示板に対して送信する手段と、
を備えることを特徴とする店舗情報装置。
【請求項２】
前記商品コードに対応付けられている前記ゴンドラ番号を変更した場合、前記ゴンドラ番号を変更した前記商品コードに対応付けられている前記販促メッセージがあるか否かを判断する手段と、
前記ゴンドラ番号を変更した前記商品コードに対応付けられている前記販促メッセージがあると判断した場合、当該販促メッセージを、変更後の前記ゴンドラ番号に前記掲示板番号として対応付けられた前記電子掲示板に対して送信する手段と、
を備えることを特徴とする請求項１記載の店舗情報装置。
【請求項３】
一の前記陳列什器に陳列される複数の商品について前記販促メッセージがそれぞれ設定されている場合には、当該陳列什器の近傍に設置されている前記電子掲示板に対して複数の前記販促メッセージをまとめて送信する、
ことを特徴とする請求項１または２記載の店舗情報装置。
【請求項４】
陳列什器の近傍に設置されている電子掲示板と、
この電子掲示板を接続する請求項１ないし３のいずれか一記載の店舗情報装置と、
を備えることを特徴とする店舗情報システム。
【発明の詳細な説明】
【技術分野】
【０００１】
本発明は、店舗情報装置および店舗情報システムに関する。
【背景技術】
【０００２】
特許文献１には、商品を陳列する商品ゴンドラに、商品の売上順位情報を表示し、客の購買意欲を喚起することで、店の売り上げアップを図る商品情報表示システムが記載されている。
【０００３】
【特許文献１】特開２００３−１５０８４５公報
【発明の開示】
【発明が解決しようとする課題】
【０００４】
ところで、特許文献１に記載されている商品情報表示システムによれば、売上順位の高い商品を情報表示端末に表示することで、客の購買意欲を促すことを目的としている。
【０００５】
しかしながら、特許文献１に記載されている商品情報表示システムでは、新商品のようにこれから売り上げを伸ばそうとしている商品についての販売促進を図ることはできない。
【０００６】
本発明は、陳列什器に陳列されている商品、特に新商品のようにこれから売り上げを伸ばそうとしている商品の購買意欲を促進させ、販促効果を高めることを目的とする。
【課題を解決するための手段】
【０００７】
本発明の店舗情報装置は、商品を陳列する陳列什器の近傍に設置されている電子掲示板に接続される店舗情報装置において、前記陳列什器に陳列される商品を識別する商品コードと当該陳列什器を識別するゴンドラ番号とを対応付ける手段と、前記商品コードと当該商品コードにより識別される商品についての販売促進のためのメッセージである販促メッセージとを対応付ける手段と、前記ゴンドラ番号と当該ゴンドラ番号が付された前記陳列什器の近傍に設置されている前記電子掲示板の掲示板番号とを対応付ける手段と、前記商品コードに対応付けられている前記販促メッセージを、当該商品コードに対応付けられている前記ゴンドラ番号に対応付けられている前記掲示板番号の前記電子掲示板に対して送信する手段と、を備える。
【０００８】
したがって、商品が陳列されている陳列什器の近傍に設置されている電子掲示板に、当該陳列什器に陳列されている商品についての販売促進のためのメッセージである販促メッセージが表示される。これにより、陳列什器に陳列されている商品、特に新商品のようにこれから売り上げを伸ばそうとしている商品の購買意欲を促進させることが可能になり、販促効果を高めることが可能になる。
【発明の効果】
【０００９】
本発明によれば、陳列什器に陳列されている商品、特に新商品のようにこれから売り上げを伸ばそうとしている商品の購買意欲を促進させることができ、販促効果を高めることができる。
【発明を実施するための最良の形態】
【００１０】
本発明の実施の一形態を図１ないし図７に基づいて説明する。
【００１１】
本実施の形態の店舗情報システムは、スーパーマーケット等の店舗において利用されるものである。
【００１２】
ここで、図１は店舗情報システムの全体の構成を示すブロック図、図２は店舗情報システムに備えられる電子掲示板の設置例を示す正面図である。図１に示すように、店舗情報システム１には、商品名や商品の単価等の商品情報、陳列位置情報等の一連の情報を管理する店舗情報装置としてのストアコントローラ２が備えられている。このストアコントローラ２は、例えば本部のホストコンピュータ１００から送信される商品コード、商品名、単価等の商品情報等を受信し、また、集計した店舗の売上情報を本部のホストコンピュータ１００に対して送信する。
【００１３】
ストアコントローラ２には、複数台のＰＯＳ端末３がＬＡＮ（Local Area Network）４により接続されている。ＰＯＳ端末３は、例えば商品コードを読み取るスキャナを備え、そのスキャナで商品に付された商品コードを読み取り、ＰＯＳ端末３に格納されている商品マスタファイルにその商品コードを問い合わせる機能を有している。そして、ＰＯＳ端末３は、問い合わせた商品コードに対応付けられた商品名や単価等を取得し、問い合わせした商品コード及び取得した商品名や単価等に基づいて部門別登録やディスプレイへの表示、またプリンタにより印字出力を行い、さらに売上登録したデータをストアコントローラ２へ送信する機能を有している。ストアコントローラ２は、ＰＯＳ端末３からの売上登録データを売上集計ファイルに累計する機能を有している。
【００１４】
加えて、ストアコントローラ２には、複数台の電子掲示板５がＬＡＮ４により接続されている。これらの電子掲示板５は、図２に示すように、商品を並べて配置するための陳列棚６ａが複数段にわたって設けられている陳列什器６の上部に設置されている。
【００１５】
なお、ＬＡＮ４は有線接続に限るものではなく、赤外線、電磁波、音波等を使用した無線方式での接続であっても良い。
【００１６】
次に、ストアコントローラ２について詳述する。ストアコントローラ２は、店舗情報システム１全体の制御を受持ち、その電装系は、例えば、図３に示すような構成とされている。ストアコントローラ２は、ＣＰＵ（Central Processing Unit）、ＲＯＭ（Read Only Memory）、ＲＡＭ（Random Access Memory）等で構成される制御部１１を保有し、バス１２を介して接続された通信インタフェース１３から、ＬＡＮ４を介して複数台のＰＯＳ端末３との間で相互にオンライン通信を実行し得るように構成されている。また、通信インタフェース１３は、ＬＡＮ４を介して複数台の電子掲示板５との間でオンライン通信を実行し得るように構成されている。さらに、制御部１１にはバス１２及びＩ／Ｏ機器制御部１４を介して、キーボード１５、表示器１６、プリンタ１７及びハードディスクドライブ装置（ＨＤＤ）１８が接続されている。
【００１７】
ハードディスクドライブ装置（ＨＤＤ）１８には、制御部１１のＣＰＵを動作させる制御プログラムの他、商品マスタファイルＦ１、各ＰＯＳ端末３から送信される売上データ、及び各ＰＯＳ端末３から送信される売上データを集計した店舗売上データを記憶する店舗売上ファイルＦ２、掲示板マスタファイルＦ３、販促メッセージファイルＦ４等が格納されている。
【００１８】
商品マスタファイルＦ１は、図４に示すように、商品コードａに対応付けて商品名ｂや売価ｃを記憶するものであり、ＰＯＳ端末３に格納されている商品マスタファイルと同一性が保たれている。また、本実施の形態の商品マスタファイルＦ１においては、商品コードａに対応付けてその商品が陳列される陳列什器６の情報であるゴンドラ番号ｄも記憶されている。
【００１９】
掲示板マスタファイルＦ３は、図５に示すように、ゴンドラ番号ｄに対応付けてそのゴンドラ番号ｄが付された陳列什器６の近傍（例えば、上部等）に設置されている電子掲示板５の掲示板番号ｅが記憶されている。
【００２０】
販促メッセージファイルＦ４は、図６に示すように、商品コードａに対応付けて販促メッセージｆが記憶されている。販促メッセージｆは、例えば本部のホストコンピュータ１００から送信される。販促メッセージｆは、商品コードａの商品についての販売促進のためのメッセージであり、例えば“新酒が発売されました。地元酒造”のようなメッセージである。
【００２１】
このような構成のストアコントローラ２において、制御部１１のＣＰＵがハードディスクドライブ装置（ＨＤＤ）１８に記憶されている制御プログラムに従って動作することにより実現される販促メッセージ表示処理について図７のフローチャートを参照しつつ説明する。
【００２２】
図７に示すように、ストアコントローラ２においてハードディスクドライブ装置（ＨＤＤ）１８に格納されている商品マスタファイルＦ１における商品のゴンドラ番号ｄを変更するにあたり、商品コードがキーボード１５により入力され（ステップＳ１）、ゴンドラ番号が入力されると（ステップＳ２）、入力された商品コードに基づいて販促メッセージファイルＦ４を検索し、入力された商品コードに対応付けられた販促メッセージが存在するか否かを確認する（ステップＳ３）。
【００２３】
入力された商品コードに対応付けられた販促メッセージが販促メッセージファイルＦ４に存在すると確認した場合には（ステップＳ４のＹ）、入力されたゴンドラ番号に掲示板マスタファイルＦ３で掲示板番号ｅとして対応付けられた陳列什器６の上部に設置される電子掲示板５に送信するための送信ファイルが存在するか否かを判断する（ステップＳ５）。
【００２４】
入力されたゴンドラ番号に掲示板マスタファイルＦ３で掲示板番号ｅとして対応付けられた陳列什器６の上部に設置される電子掲示板５に送信するための送信ファイルが存在しない場合には（ステップＳ５のＮ）、送信ファイルを新規に作成して販促メッセージを格納する（ステップＳ６）。
【００２５】
一方、入力されたゴンドラ番号に掲示板マスタファイルＦ３で掲示板番号ｅとして対応付けられた陳列什器６の上に設置される電子掲示板５に送信するための送信ファイルが存在する場合には（ステップＳ５のＹ）、送信ファイルに販促メッセージを追加する（ステップＳ７）。
【００２６】
以上ステップＳ１〜Ｓ７の処理は、処理を継続しないと判断されるまで（ステップＳ８のＮ）、繰り返される。
【００２７】
したがって、入力された複数の商品コードに対して同一のゴンドラ番号が付された場合、すなわち同一の陳列什器６に陳列される複数の商品にそれぞれ販促メッセージが準備されている場合には、入力されたゴンドラ番号に掲示板マスタファイルＦ３で掲示板番号ｅとして対応付けられた陳列什器６の上部に設置される電子掲示板５に送信するための１つの送信ファイルに各販促メッセージが格納されることになる。
【００２８】
処理を継続しないと判断され（ステップＳ８のＮ）、電子掲示板５に送信するための送信ファイルが存在する場合には（ステップＳ９のＹ）、送信ファイルを対応する電子掲示板５に配信して（ステップＳ１０）、処理を終了する。
【００２９】
このようにしてストアコントローラ２から配信された送信ファイルを受信した電子掲示板５においては、送信ファイルに格納されている販促メッセージｍ（図２参照）を表示する。なお、１つの送信ファイルに複数の販促メッセージが格納されている場合には、格納されている販促メッセージを順に切り替えて表示する。
【００３０】
このような処理により、異なる陳列什器６間で商品を移動させた場合には、電子掲示板５に表示される販促メッセージも移動することになる。すなわち、商品の陳列情報と販促情報とを連動させることにより、陳列什器６の上部に設置されている電子掲示板５にはこの陳列什器６に陳列されている商品についての販促メッセージが表示されることになるので、特に新商品のようにこれから売り上げを伸ばそうとしている商品の購買意欲を促進させることができ、販促効果を高めることができる。
【００３１】
例えば、ドリンクの新商品を売り出す際に、本部のホストコンピュータ１００からドリンクの新商品についての販促メッセージを全店舗に配信することで、店舗においてはそのドリンクの新商品についての販促メッセージをドリンクの新商品が陳列される陳列什器６の上部に設置された電子掲示板５に表示することができるので、ドリンクの新商品の購買意欲を促進させることができ、販促効果を高めることができる。
【図面の簡単な説明】
【００３２】
【図１】本発明の実施の一形態の店舗情報システムの全体の構成を示すブロック図である。
【図２】店舗情報システムに備えられる電子掲示板の設置例を示す正面図である。
【図３】ストアコントローラに内蔵される電装系を示すブロック図である。
【図４】商品マスタファイルのデータ構成を示す模式図である。
【図５】掲示板マスタファイルのデータ構成を示す模式図である。
【図６】販促メッセージファイルのデータ構成を示す模式図である。
【図７】販促メッセージ表示処理の流れを示すフローチャートである。
【符号の説明】
【００３３】
１…店舗情報システム、２…店舗情報装置、５…電子掲示板、６…陳列什器、ａ…商品コード、ｄ…ゴンドラ番号、ｅ…掲示板番号、ｆ…販促メッセージ
【図１】
2005301947.tif 000003
【図２】
2005301947.tif 000004
【図３】
2005301947.tif 000005
【図４】
2005301947.tif 000006
【図５】
2005301947.tif 000007
【図６】
2005301947.tif 000008
【図７】
2005301947.tif 000009